(57)【特許請求の範囲】
【請求項１】
古紙原料を給水部から供給された水とともに攪拌槽内で攪拌して再生パルプ含有液を製造する再生パルプ部と、
前記再生パルプ部で製造された再生パルプ含有液を抄紙する抄紙部と、
再生パルプ部から抄紙部へと前記再生パルプ含有液を送る移送経路の途中に配設され、所定の再生パルプの濃度を有する再生パルプ含有液を移送する能力のあるポンプと、
各部の動作を制御する制御部とを備えた古紙再生処理装置において、
前記移送経路を流通する再生パルプ含有液に、希釈液を供給する希釈液流路を設け、
前記希釈液流路を流通する希釈液を、前記移送経路を流通する再生パルプ含有液中に流入させ、再生パルプ含有液に含まれる再生パルプの濃度を所定濃度まで希釈する希釈処理部を移送経路における前記ポンプより下流側に設けてなり、
制御部は、再生パルプ部における再生パルプ含有液の製造後、給水部から攪拌槽に給水し、前記攪拌槽内に貯留する再生パルプ含有液中に含まれる再生パルプの濃度を前記ポンプによる移送が可能となる所定の第１濃度まで希釈するよう制御するとともに、
前記希釈処理部において再生パルプ含有液中に含まれる再生パルプの濃度を、前記第１濃度より低く抄紙部における抄紙の濃度以上である所定の第２濃度にまで希釈するよう制御することを特徴とする古紙再生処理装置。
【請求項２】
移送経路におけるポンプと希釈処理部との間に設けられ、前記移送経路の上流側から流入する再生パルプ含有液の所定量を貯留する貯留タンクを備えてなる請求項１に記載の古紙再生処理装置。
【請求項３】
貯留タンクに、該貯留タンク内に貯留する再生パルプ含有液の液面に浮遊する印刷成分を含んだ泡状物を除去する除去部を設けてなる請求項２に記載の古紙再生処理装置。
【請求項４】
貯留タンクに、該貯留タンク内に貯留する再生パルプ含有液を攪拌するための攪拌手段を備えてなる請求項２または請求項３に記載の古紙再生処理装置。
【請求項５】
制御部は、貯留タンク内に貯留する再生パルプ含有液の液量に応じて攪拌手段による攪拌量を変更するよう制御する請求項４に記載の古紙再生処理装置。
【請求項６】
古紙原料を給水部から供給された水とともに攪拌槽内で攪拌して再生パルプ含有液を製造し、
得られた再生パルプ含有液を抄紙部において抄紙し再生紙を製造する古紙再生処理方法において、
再生パルプ含有液の製造後、給水部から攪拌槽に給水し、
攪拌槽内に貯留する再生パルプ含有液中に含まれる再生パルプの濃度を、再生パルプ部から抄紙部へと前記再生パルプ含有液を送るための所定の能力を有するポンプにより該再生パルプ含有液の移送を可能とする所定の第１濃度まで希釈し、
希釈後の再生パルプ含有液を前記ポンプの駆動により再生パルプ部から抄紙部への移送経路を流通させ、
移送経路におけるポンプより下流側に設けられた希釈処理部において、移送経路を流通する再生パルプ含有液に希釈液流路を流通する希釈液を流入させ、再生パルプ含有液中の再生パルプの濃度を前記第１濃度より低く抄紙部における抄紙の濃度以上である所定の第２濃度にまで希釈することを特徴とする古紙再生処理方法。
【発明の詳細な説明】
【技術分野】
【０００１】
本発明は古紙再生処理装置及び古紙再生処理方法に関するものである。
【背景技術】
【０００２】
従来、わが国においては、一度使用した古紙、例えば古新聞紙やオフィス等で生じる古紙を回収して紙を再生する技術ならびに社会システムが確立している。
しかし、古紙から再生紙を製紙する場合には、古新聞紙がリサイクル品として回収される住宅街等やオフィス等の紙の消費場所と、古紙から紙を再生する再製紙工場とは離れており、古紙の回収、運搬にコストとエネルギーを要する。また、オフィスでは古紙の持ち出しにより紙に記載された機密情報等が外部へ漏洩するおそれがある。
【０００３】
そこで、下記特許文献１、２には、装置を小型化し、紙の消費場所で古紙を処理することの可能な古紙処理装置に関する開示があり、特許文献１には、古紙再生方法および装置として、文書裁断機によって裁断した古紙を離解して再生パルプとする工程と、再生パルプを貯蔵する工程と、再生パルプを噴射装置に充填して繊維シートに吹きかける工程と、繊維シートに吹きかけた再生パルプを抄紙する工程とからなる構成等が記載されている。
【０００４】
また、特許文献２には、古紙の裁断紙片を離解して再生パルプを調製する再生パルプ部と、再生パルプを漂白して脱墨パルプを調製する脱墨パルプ部と、脱墨パルプを抄紙して再生紙を調製する抄紙部を一体的に備える古紙処理装置が記載されている。
【先行技術文献】
【特許文献】
【０００５】
【特許文献１】特開平１０-３１７２９０号公報
【特許文献２】特開２００９−２９９２２８号公報
【発明の概要】
【発明が解決しようとする課題】
【０００６】
上記特許文献１、２では、各工程において、水に対する再生パルプの濃度を、各工程ごとに最適条件へと調整すべきことが記載されているが、再生パルプの濃度の調整を行うには、給水設備や濃度調整用タンク等を設ける必要があり、古紙再生処理装置全体が大型化するという問題が生じる。
【０００７】
本発明は上記した課題を解決するものであり、古紙の処理効率を向上しつつ、古紙再生処理装置の小型化を実現可能な古紙処理装置及び古紙処理方法の提供を目的とする。
【課題を解決するための手段】
【０００８】
上記目的を達成するために、請求項１に記載の古紙再生処理装置は古紙原料を給水部から供給された水とともに攪拌槽内で攪拌して再生パルプ含有液を製造する再生パルプ部と、前記再生パルプ部で製造された再生パルプ含有液を抄紙する抄紙部と、再生パルプ部から抄紙部へと前記再生パルプ含有液を送る移送経路の途中に配設され、所定の再生パルプの濃度を有する再生パルプ含有液を移送する能力のあるポンプと、各部の動作を制御する制御部とを備えた古紙再生処理装置において、前記移送経路を流通する再生パルプ含有液に、希釈液を供給する希釈液流路を設け、前記希釈液流路を流通する希釈液を、前記移送経路を流通する再生パルプ含有液中に流入させ、再生パルプ含有液に含まれる再生パルプの濃度を所定濃度まで希釈する希釈処理部を移送経路における前記ポンプより下流側に設けてなり、制御部は、再生パルプ部における再生パルプ含有液の製造後、給水部から攪拌槽に給水し、前記攪拌槽内に貯留する再生パルプ含有液中に含まれる再生パルプの濃度を前記ポンプによる移送が可能となる所定の第１濃度まで希釈するよう制御するとともに、前記希釈処理部において再生パルプ含有液中に含まれる再生パルプの濃度を、前記第１濃度より低く抄紙部における抄紙の濃度以上である所定の第２濃度にまで希釈するよう制御する構成にしてある。
【０００９】
また、請求項２記載の発明は、請求項１記載の古紙再生処理装置において、移送経路におけるポンプと希釈処理部との間に設けられ、前記移送経路の上流側から流入する再生パルプ含有液の所定量を貯留する貯留タンクを備えてなるものである。
【００１０】
そして、請求項３に記載の発明は、請求項１又は請求項２に記載の古紙再生処理装置において、貯留タンクに、該貯留タンク内に貯留する再生パルプ含有液の液面に浮遊する印刷成分を含んだ泡状物を除去する除去部を設けてなるものである。
【００１１】
更に、請求項４に記載の発明は、請求項１乃至請求項３のいずれか一項に記載の古紙再生処理装置において、貯留タンクに、該貯留タンク内に貯留する再生パルプ含有液を攪拌するための攪拌手段を備えてなるものである。
【００１２】
更に、請求項５に記載の発明は、請求項４に記載の古紙再生処理装置において、制御部は、貯留タンク内に貯留する再生パルプ含有液の液量に応じて攪拌手段による攪拌量を変更するよう制御するものである。
【００１３】
そして、請求項６に記載の発明は、古紙原料を給水部から供給された水とともに攪拌槽内で攪拌して再生パルプ含有液を製造し、得られた再生パルプ含有液を抄紙部において抄紙し再生紙を製造する古紙再生処理方法において、再生パルプ含有液の製造後、給水部から攪拌槽に給水し、攪拌槽内に貯留する再生パルプ含有液中に含まれる再生パルプの濃度を、再生パルプ部から抄紙部へと前記再生パルプ含有液を送るための所定の能力を有するポンプにより該再生パルプ含有液の移送を可能とする所定の第１濃度まで希釈し、希釈後の再生パルプ含有液を前記ポンプの駆動により再生パルプ部から抄紙部への移送経路を流通させ、移送経路におけるポンプより下流側に設けられた希釈処理部において、移送経路を流通する再生パルプ含有液に希釈液流路を流通する希釈液を流入させ、再生パルプ含有液中の再生パルプの濃度を前記第１濃度より低く抄紙部における抄紙の濃度以上である所定の第２濃度にまで希釈することを特徴とする古紙再生処理方法に関するものである。
【発明の効果】
【００１４】
請求項１に記載の古紙再生処理装置によれば、制御部は、再生パルプ部における再生パルプ含有液の製造後、給水部から攪拌槽に給水し、前記攪拌槽内に貯留する再生パルプ含有液中に含まれる再生パルプの濃度を、所定の再生パルプの濃度を有する再生パルプ含有液を移送する能力のあるポンプによって移送が可能となる所定の第１濃度まで希釈するよう制御するとともに、希釈処理部において再生パルプ含有液中に含まれる再生パルプの濃度を、前記第１濃度より低く抄紙部における抄紙の濃度以上である所定の第２濃度にまで希釈するよう制御するので、再生パルプ含有液中の再生パルプの濃度を、攪拌槽において第１濃度まで希釈するとともに、希釈処理部において第１濃度より低く、抄紙に適する濃度以上の所定の第２濃度まで希釈することで、再生パルプ含有液の希釈を複数回に分割し、段階的に希釈し、所定の第１濃度以下の再生パルプ含有液のみを移送する能力のある安価かつ比較的小型のポンプを設置することができ、希釈処理部で希釈を行うので、希釈後の再生パルプ含有液を貯留するための巨大なタンク及び攪拌手段を必要としない。よって、再生パルプを離解及び抄紙に適する所定の濃度に希釈することで古紙の処理効率を向上しつつ、装置全体の小型化を実現することができる。
【００１５】
また、請求項２に記載の古紙再生処理装置によれば、移送経路におけるポンプと希釈処理部との間に設けられ、前記移送経路の上流側から流入する再生パルプ含有液の所定量を貯留する貯留タンクを備えてなるので、再生パルプ部から再生パルプ含有液を取り出すことで新たな古紙原料及び水を供給し、次の離解処理を開始することができ、新たに供給した古紙原料の離解処理を行っている間に並行して貯留部に貯留する再生パルプ含有液を後段の工程へと所定の流量で供給し、連続的な処理を行うことができる。
【００１６】
そして、請求項３に記載の古紙再生処理装置によれば、制御部は、貯留タンクに、該貯留タンク内に貯留する再生パルプ含有液の液面に浮遊する印刷成分を含んだ泡状物を除去する除去部を設けてなるので、再生パルプ含有液に混入している印刷成分の量を低減することで、抄紙により得られる再生紙の品質を改善可能である。
【００１７】
更に、請求項４に記載の古紙再生処理装置によれば、貯留タンクに、該貯留タンク内に貯留する再生パルプ含有液を攪拌するための攪拌手段を備えてなるので、沈殿しやすい再生パルプを再生パルプ含有液中で十分に分散させることができ、後段の工程へ移送する再生パルプ含有液中の再生パルプの濃度を略均一な濃度とすることができる。
【００１８】
更に、請求項５に記載の古紙再生処理装置によれば、制御部は、貯留タンク内に貯留する再生パルプ含有液の液量に応じて攪拌手段による攪拌量を変更するよう制御するので、攪拌量の過多による再生パルプや水の飛散、及び攪拌量の過少による再生パルプの沈殿等の問題を解消可能である。
【００１９】
更に、請求項６に記載の古紙再生処理方法によれば、再生パルプ含有液の製造後、給水部から攪拌槽に給水し、攪拌槽内に貯留する再生パルプ含有液中に含まれる再生パルプの濃度を、再生パルプ部から抄紙部へと前記再生パルプ含有液を送るための所定の能力を有するポンプにより該再生パルプ含有液の移送を可能とする所定の第１濃度まで希釈し、希釈後の再生パルプ含有液を前記ポンプの駆動により再生パルプ部から抄紙部への移送経路を流通させ、移送経路におけるポンプより下流側に設けられた希釈処理部において、移送経路を流通する再生パルプ含有液に希釈液流路を流通する希釈液を流入させ、再生パルプ含有液中の再生パルプの濃度を前記第１濃度より低く抄紙部における抄紙の濃度以上である所定の第２濃度にまで希釈するので、再生パルプ含有液の希釈を複数回に分割し、段階的に希釈を行うことで、再生パルプを離解及び抄紙に適する所定の濃度に希釈して古紙の処理効率を向上しつつ、装置全体の小型化を実現することができる。
【図面の簡単な説明】
【００２０】
【図１】本発明の一実施形態に係る古紙再生処理装置の構成概略図である。
【図２】前記古紙再生処理装置の再生パルプ製造部の構成概略図である。
【図３】前記再生パルプ製造部の給水部の斜視図である。
【図４】前記古紙再生処理装置の貯留部の構成概略図
【図５】前記古紙再生処理装置の脱墨部の平面図及び断面図である。
【図６】前記古紙再生処理装置の抄紙部及び仕上部のカレンダー部の概略斜視図である。
【発明を実施するための形態】
【００２１】
（第１の実施形態）
以下、本発明の実施の形態を図面に基づいて説明する。図１は、本発明にかかる古紙再生処理装置の構成概略図である。図１において、古紙再生処理装置１００は、再生パルプ部１、貯留部８、脱墨部２、抄紙部３、仕上げ部４、排液処理部５、及び制御部（図示省略）を一体的に備えるものである。再生パルプ部１は古紙原料６を離解して再生パルプ含有液を製造するものであり、貯留部８は再生パルプ部１において製造された再生パルプ含有液を一旦貯留するものであり、脱墨部２は貯留部８に貯留する再生パルプ含有液を脱墨するものであり、抄紙部３は脱墨部２において脱墨された再生パルプ含有液、または貯留部８からの再生パルプ含有液を抄紙し、抄紙により得られた湿紙の乾燥を行うものであり、仕上げ部４は、抄紙部３において湿紙の乾燥を行ったものをカレンダー加工、裁断等することにより仕上げを行って再生紙７を得るものであり、排液処理部５は、古紙再生処理により生じた排液を処理するものである。制御部は各部の動作を制御するものである。
【００２２】
(再生パルプ部)
図２は、再生パルプ部１及びポンプ７７の構成概略図である。再生パルプ部１は、古紙原料６を離解して再生パルプを製造するものであり、再生パルプ製造装置Ｋにより構成される。図２に示すように、再生パルプ製造装置Ｋは、古紙原料供給部９、計測部１７、パルパー１８、制御部(図示省略)を備えている。
【００２３】
古紙原料６としては、所定サイズ以上の大きさを有する古紙原料６である粗紙６６と、所定サイズより小さいサイズの古紙原料６である細断紙６７との双方を処理可能である。粗紙６６にはＡ４、Ｂ５等といった定型紙が含まれ、更に、正方形等の定型紙以外の古紙原料６も含まれる。また、細断紙６７にはシュレッダー等の切断機器によって所定サイズより小さいサイズに切断された古紙原料６が含まれ、更に、所定サイズより小さいサイズであれば切断機器によって切断を行っていない古紙原料６も含まれる。
【００２４】
古紙原料供給部９は、粗紙６６を供給する粗紙供給部１１と、細断紙６７を供給する細断紙供給部１２とを備えている。粗紙供給部１１には、粗紙６６を載置する粗紙載置台１１１と、粗紙載置台１１１を昇降する昇降手段(図示省略)と、粗紙載置台１１１上に載置された複数の粗紙６６のうち最上位の粗紙６６を計測部１７へと搬送する給紙ローラ１１２とを備えている。
【００２５】
細断紙供給部１２には、細断紙６７を貯留するシュレッダータンク１２１を設けており、該シュレッダータンク１２１の底部には細断紙６７の排出口１２２が形成されている。排出口１２２には、図２において二点鎖線で示すように揺動することで開閉自在に構成された開閉部材１２４を設けており、開閉部材１２４の上方には、開閉部材１２４の開放時にシュレッダータンク１２１内の細断紙６７を下方に排出する排出装置１２５を備えている。排出装置１２５の構成は、細断紙６７を下方に排出可能であればよく、特に限定されないが、図２では一対の回転体１２７を示しており、該回転体１２７は、双方の回転体１２７の間に細断紙６７を挟持し、回転することで細断紙６７を下方に排出するようになっている。
【００２６】
計測部１７は、粗紙供給部１１及び細断紙供給部１２より供給された古紙原料６の重量を計測するものである。計測部１７は、排出口１２２の下方、且つ、給紙ローラ１１２による粗紙６６の搬送方向下流側のやや低い位置に配設してある。計測部１７は、粗紙６６および細断紙６７を受け止める受皿１７１を備えている。
【００２７】
受皿１７１は、一回のバッチ式離解処理において処理を行う古紙原料６の全量を載置可能とする十分に大きなサイズとしてもよいが、古紙原料６の全量のうちの一部を載置可能な程度のサイズとして、全量を載置する場合より小さいサイズとしてもよい。
【００２８】
同様に、計測部１７が計測可能な重量に関しても、一回のバッチ式離解処理において処理を行う古紙原料６の全量を計測可能な計測機器を使用してもよいが、古紙原料６の全量のうちの一部のみを計測可能とする小型の計測器を用い、計測を複数回に分割し合算した場合にのみ全量を計測可能な構成としてもよい。
【００２９】
受皿１７１は、図２において二点鎖線で示すように、水平姿勢からパルパー１８へ向けて傾倒する傾倒姿勢にまで傾倒可能に構成され、受皿１７１を傾動させるモータ等の駆動手段（図示省略）を有する。また、受皿１７１は傾倒姿勢において、低位置となる側には側壁を設けておらず、受皿１７１を傾倒するのみで古紙原料６をパルパー１８へ投下可能となっている。
【００３０】
パルパー１８は、計測部１７より投入された古紙原料６を水及び離解促進剤の液体中において、繊維、つまり再生パルプにまで離解するものであり、攪拌槽１８１、給水部１８２、離解促進剤供給部１８３、攪拌手段１８９、再生パルプ含有液取出部１８７を備えている。攪拌槽１８１の大きさは、給水部１８２から供給された水及び古紙原料６を含む液体を貯留し、離解処理を行うのに十分な大きさであり、且つ、離解処理の終了後、製造された再生パルプ含有液を給水部１８２からの給水により所定の第１濃度まで希釈された再生パルプ含有液を収容可能な大きさである。
【００３１】
ここで、所定の第１濃度とは、後述する再生パルプ含有液取出部１８７から再生パルプ含有液を取り出すためのポンプ７７によって再生パルプ含有液を移送可能な再生パルプの濃度である。第１濃度は、脱墨部２における脱墨処理に適する所定の濃度より高く設定され、また、脱墨部２における脱墨処理を省略する場合には、抄紙部３における抄紙に適する所定の濃度より高く設定される。
【００３２】
給水部１８２は、水道水等の上水の供給部(図示省略)、及び後述する排液処理部５の白水タンク５２（図１参照）に接続され、これら上水または白水タンク５２内に貯留する白水のうち、いずれかの水を攪拌槽１８１に供給するようになっている。該給水部１８２は、攪拌槽１８１の内壁面上部に複数設けられており、給水部１８２には、前記水を攪拌槽１８１の内壁面に向けて放出する放出部７６を備えている。
【００３３】
放出部７６の構成は、前記水を攪拌槽１８１の内壁面に向けて放出可能であれば、特に限定されないが、例えば図３に示すものが挙げられる。図３には、放出部７６の一例として、該放出部７６を含む給水部１８２の分解斜視図を示している。図３に示す給水部１８２は、放出部本体１５及び下部が屈曲した当て板１４を備えており、この放出部本体１５及び当て板１４は攪拌槽１８１の内壁面に螺子２５により螺着される。
【００３４】
放出部本体１５には、攪拌槽１８１の内壁面に貫通して形成された給水用孔部５３に位置合わせして、給水用孔１６を設けている。放出部本体１５の給水用孔１６に対向する側面は開放されており、当て板１４によりこの開放した側面が閉塞されている。放出部本体１５の内部には、配管５４からの水が流通する空間部１３が形成されている。
【００３５】
放出部本体１５の底部には、空間部１３を流通した水を放出するための放出部７６が開口して形成され、屈曲した当て板１４の下部１４ａにより、放出部７６から放出された水を攪拌槽１８１の内壁面に案内し、配管５４から空間部１３に所定の流速で水が供給されることで、放出部７６から放出された水が内壁面の広い範囲に広がりつつ該内壁面を伝って下方へと流下し、これにより攪拌槽１８１の内壁面に付着した再生パルプ、離解促進剤等を洗浄するようになっている。
【００３６】
図２に示すように、離解促進剤供給部１８３は、攪拌槽１８１の上方に設けられている。離解促進剤供給部１８３から供給される離解促進剤としては、水酸化ナトリウム、炭酸ナトリウム、ケイ酸ナトリウム、水酸化カリウム、亜硫酸ナトリウムなどのアルカリ類から選ばれる１種以上若しくはその水溶液等を用いることができ、更に、スルファミン酸、塩酸、硫酸、リン酸、硫酸アルミニウムなどの酸類、次亜塩素酸ナトリウム、亜塩素酸ナトリウム、過酸化水素などの酸化剤、界面活性剤、漂白剤、ＰＨ安定剤、キレート剤、分散剤などを補助的に用いることもできる。
【００３７】
攪拌手段１８９は、攪拌槽１８１の底部に設けられ、古紙原料６を給水部１８２から供給された水とともに攪拌し離解するための攪拌羽根１８４と、前記攪拌羽根１８４を回転駆動するモータ等の駆動手段１８８とを備えている。攪拌羽根１８４の種類は、特に限定されないが、プロペラ、パドル、タービン等の軸流タイプの攪拌羽根１８４が好ましい。
【００３８】
また、図示は省略するが、攪拌槽１８１には、該攪拌槽１８１内に貯留する液体を所定温度まで加温するためのヒータおよび温度センサ（図示省略）を設けてある。
【００３９】
再生パルプ含有液取出部１８７は、攪拌槽１８１の底部に設けられ、攪拌槽１８１内で古紙原料６を離解することにより製造された再生パルプ、水等を含有する再生パルプ含有液を取り出すものである。再生パルプ含有液取出部１８７は、配管７８が接続され、該配管７８には開閉弁７９を備えている。この配管７８により攪拌槽１８１から下流側の抄紙部３へと再生パルプ含有液を送る移送経路の一部を構成している。
【００４０】
再生パルプ部１と貯留部８との間にはポンプ７７を配設している。ポンプ７７は該再生パルプ部１と貯留部８とを接続する配管７８の開閉弁７９より下流側に設けられてなり、ポンプ７７の駆動により再生パルプ含有液取出部１８７から取り出した再生パルプ含有液を移送経路の途中に設けられた貯留部８へ送るようになっている。
【００４１】
ポンプ７７は、スネークポンプ、モーノポンプ、チューブポンプ等を用いることができ、また、再生パルプ含有液における再生パルプの濃度が離解処理終了時点の再生パルプの濃度のような比較的高い場合であっても移送する能力のあるポンプを用いることとしてもよいが、再生パルプ含有液中の再生パルプの濃度が所定濃度以下である場合にのみ移送する能力のあるポンプを用いることにより、安価かつ比較的小型のポンプを設置して製造コストの削減及び装置全体の小型化を実現することができる。更に、安価且つ小型で、且つ、単純な構造を有するためメンテナンスも容易なチューブポンプを用いることがより好ましい。ポンプ７７をチューブポンプとした場合には、チューブポンプの運転を停止することにより配管７８内における再生パルプ含有液の流通を阻止することが可能であるので、開閉弁７９を設けなくても構わない。
【００４２】
（貯留部）
図４に貯留部８の構成概略図を示す。貯留部８は再生パルプ部１の下流側の移送経路の途中に設けられ、貯留タンク８５及び希釈処理部８６により構成される。貯留タンク８５は、ポンプ７７の駆動により配管７８内を流通する再生パルプ含有液の所定量を一旦貯留するものであり、貯留タンク８５の内部には攪拌手段８０を備えている。攪拌手段８０は、図４においては、貯留タンク８５の内径よりやや小さい程度の横幅を有する板状の攪拌羽根８１及び該攪拌羽根８１の駆動手段８２を示しており、該攪拌羽根８１には複数の窓部８３が形成されている。
【００４３】
貯留タンク８５内の攪拌手段８０は、図４に示す攪拌羽根８１に限定されず、貯留タンク８５内に貯留する再生パルプ含有液に所定量の空気を供給し、攪拌を行うといった他の構成であってもよい。また、攪拌羽根８１を用いる場合に、図４に示す攪拌羽根８１と異なる他の形状であってもよく、市販のものを用いてもよい。市販の攪拌羽根を用いる場合には、プロペラ、パドル、タービン等の貯留タンク８５内に軸流を生じるタイプのものや、リボン、アンカー、糸巻型、門型等といった貯留タンク８５内に輻流を生じるタイプのものを用いることができる。これらのうち、アンカー、糸巻型、門型等といった貯留タンク８５内に輻流を生じる攪拌羽根が好ましく用いられる。
【００４４】
貯留タンク８５には、該貯留タンク８５内に貯留する再生パルプ含有液の液面に浮遊するトナー成分等の印刷成分を含んだ泡状物８７を除去する除去部８８を設けている。除去部８８は、泡状物８７を貯留タンク８５から除去できればその構成は特に限定されず、図４に示すような泡状物８７を吸引除去する吸引手段９０のほか、液面近傍に配設した吸着剤に吸着させ除去する吸着手段、不織布等のシート材に付着させ除去する手段等を用いることができる。
【００４５】
図４に示すように、除去部８８として吸引手段９０を用いる場合には、攪拌羽部８１の回転中心となる貯留タンク８５の上部略中央に吸引口９０ａを開口させることが好ましい。貯留タンク８５では、貯留する再生パルプ含有液を攪拌羽根８１により攪拌した際、印刷成分が泡に付着して液面に浮上し、攪拌羽根８１の回転中心となる液面の中央部に浮遊しやすいからである。
【００４６】
また、貯留タンク８５の底部には、攪拌槽１８１に一端側が接続された配管７８の他端側と、配管８９とがそれぞれ接続されている。配管８９には、貯留タンク８５内の再生パルプ含有液を取り出し、下流側の脱墨部２または抄紙部３へと送るポンプ９１及び開閉弁９２が設置され、この配管８９及びポンプ９１により貯留タンク８５から下流側の抄紙部３へと再生パルプ含有液を送る移送経路の一部を構成している。
【００４７】
ポンプ９１は、攪拌槽１８１と貯留タンク８５とを接続する配管７８に設けたポンプ７７と同様に、スネークポンプ、モーノポンプ、チューブポンプ等を用いることができ、再生パルプ含有液中の再生パルプの濃度が所定濃度以下である場合にのみ移送する能力のあるポンプを用いることが好ましく、チューブポンプを用いることがより好ましい。ポンプ９１をチューブポンプとした場合には、チューブポンプの運転を停止することにより配管８９内における再生パルプ含有液の流通を阻止することが可能であるので、開閉弁９２を設けなくても構わない。
【００４８】
希釈処理部８６は、配管８９のポンプ９１の設置箇所より下流側の途中位置に設けられ、配管８９に配管９３の一端が接続されてなる構造を有する。該希釈処理部８６は、配管９３により構成される希釈液流路を流通する希釈液を、移送経路を構成する配管８９内を流通する再生パルプ含有液中に流入させ、再生パルプ含有液に含まれる再生パルプの濃度を所定の濃度まで希釈するものである。配管９３の他端側は、上水の供給部（図示省略）、及び後述する白水タンク５２の双方に接続され、該上水または白水タンク５２内の白水を、希釈液として供給し、配管８９内を流通する再生パルプ含有液を希釈するようになっている。
【００４９】
希釈処理部８６では、再生パルプ含有液中に含まれる再生パルプの濃度を、第１濃度より低く、脱墨部２における脱墨の濃度、又は抄紙部３における抄紙の濃度以上である所定の第２濃度にまで希釈する。
【００５０】
(脱墨部)
図５（ａ）に脱墨部２の平面図を、同図（ｂ）に図５（ａ）のＡ−Ａ線矢視断面図を示す。脱墨部２は、フローテータと呼ばれ、インク成分、トナー成分等の印刷成分を再生パルプ含有液から分離して脱墨後の再生パルプを製造するためのものであり、再生パルプ含有液流通槽２２１、ブレード２２２及び気泡排出槽２２３を備えている。
【００５１】
再生パルプ含有液流通槽２２１は、攪拌槽１８１及び希釈処理部８６における希釈液の供給により所定濃度に調整された再生パルプ含有液を流通させるものである。再生パルプ含有液流通槽２２１内は、複数の仕切壁２２４により複数の脱墨室２２５に区画されており、図５（ａ）に示すように、仕切り壁２２４の左方または右方が交互に開口することで全ての脱墨室２２５は連通している。
【００５２】
各脱墨室２２５の底部には、再生パルプ含有液流通槽２２１内を流通する再生パルプ含有液中に、微細な気泡を供給するための気泡供給部２２６を設けるとともに、各仕切り壁２２４の双方の面の高さ方向略中央部に温度センサ２２７と、ヒータ２２８とをそれぞれ配置している。また、再生パルプ含有液を再生パルプ含有液流通槽２２１内に流入させる流入部２２９ａと、脱墨処理後生じた脱墨後の再生パルプを含有する再生パルプ含有液を再生パルプ含有液流通槽２２１外に流出させる流出部２２９ｂとを設けている。
【００５３】
ブレード２２２は、再生パルプ含有液流通槽２２１の上部を浮遊する気泡を、再生パルプ含有液流通槽２２１の周壁を溢流させ気泡排出槽２２３側へ掃き出すためのものであり、再生パルプ含有液流通槽２２１の上方に設けられ、モータ２２２ａの駆動によりガイドレール２２２ｂに案内されつつ往復移動するよう構成されている。
【００５４】
図４（ａ）に示すように、気泡排出槽２２３は、再生パルプ含有液流通槽２２１の外周を取り囲むよう平面視ロ字状に設けられ、脱墨の際再生パルプ含有液流通槽２２１内で生じ、ブレード２２２により掃き出された気泡を一旦貯留するようになっている。気泡排出槽２２３には、気泡排出槽２２３内及びブレード２２２等に付着した気泡を洗い流すための水などの洗浄液を噴出する洗浄液噴出部２２３ａを設けている。洗浄液噴出部２２３ａは、気泡排出槽内の壁面の上段部及び中段部の全周に亘って複数配備されている。
【００５５】
また、気泡排出槽２２３の底部には、気泡の消滅により生じた脱墨排液を取り出す取出部７５を設けており、取出部７５から取り出した脱墨排液を排液処理部５の脱墨排液タンク５２に送るようになっている。
【００５６】
更に、気泡排出槽２２３は、生じた気泡を消滅させるための消泡部（図示省略）を備えていることが好ましい。消泡部は気泡を消滅させることができればその構造は限定されないが、例えば、温風や熱風を供給する風供給部（図示省略）等が挙げられ、風供給部から気泡に温風又は熱風を吹き付けて気泡の水分を吹き飛ばすことで気泡を消滅させる。かかる風供給部を設ける場合には、風供給部からの温風や熱風を水分含有量の低い乾燥した温風又は熱風とすることがより好ましい。これにより、気泡の水分をより容易に吹き飛ばすことができるからである。
【００５７】
尚、脱墨部２による脱墨処理は省略することも可能であり、脱墨処理を省略する場合には、図１に示すように貯留部８からの再生パルプ含有液を抄紙部３へと送る。
【００５８】
(抄紙部)
図６は、抄紙部３及び仕上部４のカレンダー部４１の概略斜視図である。抄紙部３は、脱墨部２による脱墨の終了した、または脱墨処理を省略した場合には、希釈処理部８６からの再生パルプ含有液を抄紙するものであり、抄紙装置Ｓにより構成される。図６に示すように、抄紙部３は、ヘッドボックス３１、ワイヤー部３２、脱水部３３、ドライヤー部３４からなる。
【００５９】
ヘッドボックス３１は、脱墨パルプ含有液または再生パルプ含有液をワイヤー部３２に均一に供給し、脱水を行って湿紙６４とするためのものであり、ヘッドボックス３１の上部は開口しており、下部に脱墨パルプ含有液の供給口３１ａが形成されている。再生パルプ含有液の供給口３１ａの長手方向両端部には、ワイヤー部３２のメッシュベルト３２３の両側縁部に沿って所定長さを有するガイド部材３１ｂが片持ち支持されている。ガイド部材３１ｂは、ヘッドボックス３１からワイヤー部３２のメッシュベルト３２３上に供給された再生パルプ含有液がメッシュベルト３２３の側縁から外方に流れ落ちるのを防止するようになっている。
【００６０】
ワイヤー部３２は、 複数の回転ローラ３２１に掛け渡して展張したメッシュベルト３２３を有し、メッシュベルト３２３が往路軌道３２３ａと復路軌道３２３ｂからなる無端軌道を形成している。また、往路軌道３２３ａの下方には、往路軌道３２３ａの網目から流下する水を受ける受水部３２５を設けている。受水部３２５は後述する排液処理部５の白水タンク５２(図１参照)に接続されている。
【００６１】
図６に示すように、 脱水部３３は、複数の回転ローラ３３１の間にそれぞれ掛け渡したフェルトからなる無端状の吸水ベルト３３２ａ，３３２ｂを上下一対有し、上側の吸水ベルト３３２ａと下側の吸水ベルト３３２ｂとが一部当接している。この上側の吸水ベルト３３２ａと下側の吸水ベルト３３２ｂとが一部当接した部分において、双方の吸水ベルト３３２ａ，３３２ｂを挟圧して圧搾する一対の圧搾ローラ３３４を複数備えている。
【００６２】
上側の吸水ベルト３３２ａと下側の吸水ベルト３３２ｂとは設置位置を所定長さだけずらせており、上側の吸水ベルト３３２ａの方が下側の吸水ベルト３３２ｂよりも湿紙６４の走行方向上流側に配置されている。これにより、メッシュベルト３２３上を搬送されてきた湿紙６４をまず上側の吸水ベルト３３２ａに転移し、その後、圧搾ローラ３３４による圧搾の直前まで湿紙６４を下側の吸水ベルト３３２ｂに接触させないようにしている。
【００６３】
ドライヤー部３４は、フード(図示省略)内に複数の回転ローラ３５１及び乾燥ローラ３４３を配置し、この複数の回転ローラ３５１及び乾燥ローラ３４３の間に掛け渡した搬送ベルト３４２を上下一対備えている。搬送ベルト３４２の材質は特に限定されず、例えば、布、耐熱樹脂または金属等とし、上下の搬送ベルト３４２は一部が当接した状態で走行し、上下の搬送ベルト３４２の当接箇所に複数の乾燥ローラ３４３が配置されている。乾燥ローラ３４３は、内部にヒータ３４５を備えるとともに、外周面に搬送ベルト３４２を巻回しており、また、乾燥ローラ３４３の表面の温度を測定する温度センサ（図示省略）を有している。
【００６４】
（仕上げ部）
図６に示すように、仕上げ部４は、カレンダー部４１及びカット部４２(図１参照)を有しており、カレンダー部４１は仕上げ前の再生紙６５の平坦度を上げるための複数のプレスローラ４１１を備え、カット部４２は紙を所定のシートサイズにカットする裁断刃（図示省略）を備えている。
【００６５】
(排液処理部)
図１に示すように排液処理部５は、脱墨排水タンク５１、白水タンク５２の各槽体を有し、汚染の程度が高く再利用が困難な脱墨排水タンク５１内の排水は、必要により所定の廃液処理を行って無毒化した後古紙処理装置１００の外部に排出するよう構成されている。汚染の程度が低く再利用が可能な白水タンク５２内の白水は、フィルターを通してインク、トナー等を除去し、必要により薬剤を添加し中和するなどの処理を施した後、もう一度パルパー１８及び希釈処理部８６等へ供給し再度利用可能に構成されている。
【００６６】
（制御部）
制御部は、再生パルプ部１における再生パルプ含有液の製造後、給水部から攪拌槽１８１に給水し、攪拌槽１８１内に貯留する再生パルプ含有液中に含まれる再生パルプの濃度をポンプ７７による移送が可能となる所定の第１濃度まで希釈するよう制御するとともに、希釈処理部８６において再生パルプ含有液中に含まれる再生パルプの濃度を、第１濃度より低く抄紙部３における抄紙の濃度以上である所定の第２濃度にまで希釈するよう制御する。また、制御部は、貯留タンク８５内に貯留する再生パルプ含有液の液量に応じて攪拌手段８０による攪拌量を変更するよう制御する。
【００６７】
（第１の実施形態の作用）
本実施形態にかかる古紙処理装置１００の作用につき以下に説明する。まず、図２に示すように、粗紙６６と細断紙６７とのいずれかの古紙原料６を計測部１７で計測し、計測した古紙原料６をパルパー１８に投入する。その際、古紙原料６のうち粗紙６６と細断紙６７とのいずれの古紙原料６を先に処理してもよく、いずれかに限定されない。
【００６８】
粗紙６６を古紙原料６として処理する際は、昇降手段により粗紙載置台１１１を昇降し、積層された複数の粗紙６６のうち最上位の粗紙６６を給紙ローラ１１２に当接させるよう位置あわせした後、給紙ローラ１１２を回転して最上位の粗紙６６を一枚ずつ受皿１７１へと搬送する。計測部１７の計測値が予め設定した所定値に達した時点で給紙ローラ１１２の回転を停止し搬送を中止する。
【００６９】
ここで、予め設定した所定値は、計測部１７を構成する計測機器の処理能力に応じ、古紙原料６の全量を所定値としてもよく、全量のうちの一部を所定値とし、古紙原料６の供給を複数回に分割して行うこととしてもよい。
【００７０】
一方、細断紙６７を古紙原料６として供給する際は、図２において二点鎖線で示すように、開閉部材１２４を開放し、排出装置１２５を作動してシュレッダータンク１２１内の細断紙６７を受皿１７１に徐々に投下し、受皿１７１上に載置された細断紙６７の重量を測定する。計測部１７の測定値が所定値に達したところで排出装置１２５を停止する。
【００７１】
そして、計測部１７により計測された古紙原料６を、受皿１７１を傾倒する駆動手段を駆動し受皿１７１を傾倒することで、攪拌槽１８１へ投入する。
【００７２】
攪拌槽１８１では、古紙原料６の攪拌槽１８１への投入に際し、予め設定された離解処理に必要となる量の水を給水部１８２から給水し、駆動手段１８８を駆動して攪拌羽根１８４を回転しておく。また、離解促進剤供給部１８３を設けている場合には離解促進剤を攪拌槽１８１に投入する。その後、上記のように、古紙原料６を攪拌槽１８１に投入し、離解処理を行う。このパルパー１８での離解処理の間、必要により、温度センサで攪拌槽１８１内の温度を検出し、温度ヒータを通電することで攪拌槽１８１内に貯留する古紙原料６及び水等を含む液体を離解処理に適する所定温度に維持する。
【００７３】
離解処理が終了し再生パルプ含有液を製造した後、制御部は、給水部１８２より給水を行って再生パルプ含有液中の再生パルプの濃度を所定の第１濃度にまで希釈するよう制御する。即ち、例えば、離解終了時には再生パルプ含有液における再生パルプの濃度が６．０〜９．０重量％程度である場合に、給水部１８２から攪拌槽１８１に給水し、第１濃度としての１．０〜５．０重量％程度にまで希釈することとする。
【００７４】
このように、離解処理の終了後、再生パルプ含有液中の再生パルプの濃度を１．０〜５．０重量％程度といった所定濃度以下に希釈することで、かかる所定濃度以下の再生パルプ含有液のみを移送する能力のある安価かつ比較的小型のポンプを設置することができ、製造コストの削減及び装置全体の小型化を実現することができる。
【００７５】
この離解処理終了後の攪拌槽１８１における希釈では、再生パルプ含有液中の再生パルプの濃度が脱墨部２における脱墨処理に適する所定の濃度より高い濃度とし、また、脱墨部２における脱墨処理を省略する場合には、抄紙部３における抄紙に適する所定の濃度より高い濃度とすることで、攪拌槽１８１に貯留する再生パルプ含有液の量の抑えることができ、攪拌槽１８１を比較的小さくすることができる。仮に、攪拌槽１８１において脱墨や抄紙に適する所定の再生パルプ濃度にまで、一度に希釈した場合には、希釈後の再生パルプ含有液を収容するための巨大な攪拌槽を設置しなければならなくなり、或いは、装置の小型化のため小さい攪拌槽１８１を設置する場合には、一回のバッチ式離解処理で処理を行う古紙原料６の量を少量に抑える必要が生じ、処理効率を非常に低下させる。これに対し、本実施形態のように、最終的に脱墨又は抄紙の際に必要となる所定濃度までには攪拌槽１８１で希釈を行わないことで、古紙原料６の処理量をある程度維持しつつ、攪拌槽１８１の大きさを抑えることができる。
【００７６】
この攪拌槽１８１における希釈は、放出部７６から攪拌槽１８１の内壁に向けて水を放出することにより行う。これにより、離解処理中に攪拌槽１８１の内壁面に付着した再生パルプを洗い流して除去し、攪拌槽１８１内に貯留する再生パルプ含有液に含ませることができる。よって、再生パルプを攪拌槽１８１の内壁面に付着させたままの状態で残存させ、再生パルプ含有液中の再生パルプの濃度を低下させるといったことなく、製造した全て再生パルプを次工程である貯留部８へと送ることができる。また、再生パルプを攪拌槽１８１の内壁面に付着させたまま乾燥させ、こびり付かせて除去し辛くするといったこともない。
【００７７】
第１濃度までの希釈が終了した後、開閉弁７９を開放し、希釈後の再生パルプ含有液を再生パルプ含有液取出部１８７より取り出し、ポンプ７７の駆動により、貯留部８へ送る。
【００７８】
図４に示す貯留部８では、配管７８から流入した再生パルプ含有液を貯留タンク８５に一旦貯留する。これにより、攪拌槽１８１から再生パルプ含有液を取り出すことで空となった攪拌槽１８１に新たな古紙原料６及び水を供給し、次のバッチ式離解処理を開始することができる。そして、新たに供給した古紙原料６の離解処理を行っている間に並行して貯留部８に貯留する再生パルプ含有液を脱墨部２又は抄紙部３に所定の流量で連続的に供給し、後段の各工程を行うことができる。
【００７９】
その際、貯留タンク８５から配管８９を介して流出させる再生パルプ含有液の流量と、再生パルプ部１において製造され、所定の第１濃度に希釈された再生パルプ含有液を配管７８から貯留タンク８５へと流入させるタイミングとを調整し、貯留タンク８５内に所定量以上の再生パルプ含有液を途切れることなく常に継続して貯留するようにする。これにより、複数回のバッチ式離解処理により製造された再生パルプ含有液を、脱墨部２又は抄紙部３へ連続的に継続して供給することができる。
【００８０】
貯留タンク８５において再生パルプ含有液を貯留する際は、駆動手段８２を駆動し、攪拌羽根８１を回転し、再生パルプ含有液を攪拌する。これにより、沈殿しやすい再生パルプを再生パルプ含有液中で十分に分散させることができ、脱墨部２又は抄紙部３へ移送し連続処理を行う再生パルプ含有液中の再生パルプの濃度を略同程度とすることができる。
【００８１】
貯留タンク８５における攪拌羽根８１による攪拌は、再生パルプを分散させることを目的とするので、攪拌羽根８１の回転速度を比較的低速とすることができ、これにより消費電力を低減し、コストを抑制することができる。例えば、攪拌羽根８１が貯留タンク８５内に軸流を生じるタイプの攪拌羽根の場合には６００〜１５００ｒｐｍ、より好ましくは、８００〜１２００ｒｐｍ程度とすることができる。貯留タンク８５内に輻流を生じるタイプの攪拌羽根の場合には、１０〜１００ｒｐｍ、より好ましくは、３０〜６０ｒｐｍ程度とすることができる。
【００８２】
このように、輻流を生じるタイプの攪拌羽根は、軸流を生じるタイプの攪拌羽根に比較して低速回転であっても貯留タンク８５内の再生パルプ含有液の一部のみならず全体をよく攪拌することができ、消費電力の更なる低減が可能である。更に、輻流を生じるタイプの攪拌羽根は、軸流を生じるタイプの攪拌羽根に比較して常に低速回転を行った場合であっても再生パルプを十分に分散させることができ、貯留タンク８５内に貯留する再生パルプ含有液の液量に応じた制御を行わなくても構わない。
【００８３】
一方、該攪拌羽根８１の種類がプロペラ等の貯留タンク８５内に軸流を生じるタイプの攪拌羽根を用いる場合には、貯留タンク８５内に貯留する再生パルプ含有液の液量によっては、再生パルプの沈殿や、再生パルプ及び水の飛散、騒音といった問題が生じやすい。そこで、攪拌羽根８１が貯留タンク８５内に軸流を生じるタイプの攪拌羽根である場合には、貯留タンク８５内の液量が多い場合には、攪拌羽根８１の回転速度を速くすることで、沈殿しやすい再生パルプを十分に分散させることができ、逆に、貯留タンク８５内の液量が少ない場合には攪拌羽根８１の回転速度を遅くすることで、再生パルプや水の飛散、騒音等の問題を解消可能である。
【００８４】
攪拌手段８０が空気を供給し、攪拌を行う構成の場合にも、攪拌羽根８１が貯留タンク８５内に軸流を生じるタイプの攪拌羽根である場合と同様に、攪拌手段８０による攪拌量を、貯留タンク８５内に貯留する再生パルプ含有液の液量に応じて調整し、液量が多いときには空気の供給量を増大させて攪拌量を多くし、液量が少ないときには空気の供給量を現象させて攪拌量を少なくするようすることが好ましい。
【００８５】
また、攪拌羽根８１の動作を、回転と停止とを繰り返す間欠運転とすることも可能である。即ち、例えば、２〜６秒の回転と、１〜３秒の停止とを繰り返す間欠運転等により攪拌羽根を回転することが可能であり、間欠運転をすることで再生パルプのいわゆる連れ回りを防止することができる。更に、この間欠運転に加え、攪拌羽根８１の回転方向を正回転と逆回転を繰り返す反転運転とすることも可能である。即ち、２〜６秒の正回転、０〜３秒の停止、２〜６秒の逆回転を繰り返す反転運転が可能である。反転運転とすることで、攪拌羽根８１が同一方向に回転する間欠運転の場合より、更に確実に連れ回りを防止できる。
【００８６】
貯留タンク８５内に貯留する再生パルプ含有液には、トナー成分等の印刷成分が、生じた泡に付着し液面付近に浮遊しており、攪拌羽根８１の攪拌に伴って回転中心となる再生パルプ含有液の液面中央部にこの印刷成分を含む泡状物８７が集まり回転する。この液面中央部に浮遊する泡状物８７は、貯留部８に貯留する再生パルプ含有液の液量が減少した際にも、常に液面付近に浮遊し、最終的に全ての再生パルプ含有液を貯留タンク８５から取り出すまで貯留タンク８５内に留まり、この結果、再生パルプ含有液の水位が所定量以下にとなった場合に、一度に配管８９へと流入し後段へと移送される。よって、このとき印刷成分の濃度が非常に高い再生パルプ含有液が脱墨部２や抄紙部３に移送されるので、著しく脱墨条件を悪化させ、抄紙により得られる再生紙の品質を低下させる。
【００８７】
そこで、再生パルプ含有液を攪拌羽根８１により攪拌した際、再生パルプ含有液の回転中心となる液面中央部に浮遊するインク成分やトナー成分等の印刷成分を含んだ泡状物８７を除去部８８により除去し、再生パルプ含有液に混入している印刷成分の量を低減した。これにより、脱墨部２における脱墨処理効率を向上させることができ、抄紙により得られる再生紙の白色度を改善可能である。
【００８８】
希釈処理部８６では、配管８９内を流通する再生パルプ含有液に、配管９３内を流通する希釈液を流入させ、希釈処理を行う。希釈処理部８６における希釈は、再生パルプ含有液中に含まれる再生パルプの濃度を、前記第１濃度より低く、且つ、脱墨部２における脱墨処理に適する所定の再生パルプの濃度である所定の第２濃度までとする。また、脱墨部２における脱墨処理を省略する場合には、抄紙部３における抄紙に適する所定の再生パルプの濃度である所定の第２濃度までとする。かかる所定の第２の濃度となるよう配管８９内の再生パルプ含有液の流量に対する配管９３内の希釈液の流量を調整する。
【００８９】
即ち、例えば、貯留部８に貯留する再生パルプ含有液中の再生パルプの濃度が第１濃度である１．０〜５．０重量％程度とした状態から、希釈処理部８６で連続的な希釈を行って、第１濃度より低く脱墨及び抄紙に適した再生パルプの濃度である０．１重量％〜３．０重量％程度、より好ましくは０．３重量％〜２．０重量％程度にまで希釈する。
【００９０】
また、希釈処理部８６における希釈は、途切れることなく連続して行うこととしてもよく、間欠的に行ってもよい。間欠的に行う場合には、配管８９内を流通する再生パルプ含有液に、配管９３から所定流量で所定時間希釈液を流入させた後、一時的に希釈液の供給を中断し、その後、中断前の流量と同じ流量、または中断前の流量とは異なる他の流量で希釈液を流入させることで、希釈処理を再開するといった方法等により行う。中断後の希釈液の流量を中断前とは異なる他の流量とする場合には、中断前の希釈により生じた再生パルプ含有液について測定した再生パルプの濃度の結果に応じて、希釈液量を微調整することが可能である。
【００９１】
このように、再生パルプ含有液中の再生パルプの濃度を、攪拌槽１８１においてある中位の第１濃度まで希釈するとともに、希釈処理部８６において第１濃度より低く、脱墨又は抄紙に適する所定の第２濃度まで希釈することで、再生パルプ含有液の希釈を複数回に分割し、段階的に希釈するようにする。
【００９２】
また、希釈処理部８６では、配管９３内を流通する希釈液を、配管８９内を流通する再生パルプ含有液中に流入させることで連続的な希釈を行うので、希釈後の再生パルプ含有液を貯留するための巨大なタンク及び攪拌手段を必要としない。更に、白水タンク５２内の白水を希釈液として用いる場合には、抄紙部３において抄紙により生じた白水を希釈液として循環して利用するために、希釈液として上水を用いる場合に比較して白水タンク５２に貯留する白水の量を低減でき、白水タンク５２を小さいものにすることができる。
【００９３】
希釈処理部８６で脱墨に適する濃度に希釈された再生パルプ含有液を脱墨部２へと移送し、脱墨部２においては、図５に示す再生パルプ含有液流通槽２２１に流入部２２９ａから流入した再生パルプ含有液を、仕切壁２２４の左方または右方の開口から隣接する脱墨室２２５へ順次流通させる。各脱墨室２２５では脱墨剤の存在下、再生パルプ含有液中に気泡供給部２２６から微細な気泡を吹き込み、脱墨剤の存在によって消失することなく多量に発生した気泡の表面にトナー粒子等の疎水性の異物を付着させて各脱墨室２２５の上部に浮上させる。また、必要により攪拌翼を作動し、再生パルプ流通槽２２１内の再生パルプ含有液の円滑な流通を促すようにする。
【００９４】
親水性の繊維は、水とともに脱墨室２２５を順次流通していく。このようにして再生パルプ含有液からトナー成分等を除去する脱墨を行う。その際、温度センサ２２７で再生パルプ含有液の温度の検出を行い、ヒータ２２８で再生パルプ含有液を所定温度に維持するよう加熱する温度制御を行う。
【００９５】
脱墨部２に再生パルプ含有液を導入した後、所定時間経過し、脱墨処理が進行して各脱墨室２２５の上部に気泡が浮遊した際に、モータ２２２ａを駆動し、ガイドレール２２２ｂに案内させつつブレード２２２を図４（ａ）において上下方向に往復移動し、再生パルプ含有液流通槽２２１の上部に浮遊する気泡を気泡排出槽２２３に掃き出す。気泡排出槽２２３に掃き出された気泡は、洗浄液噴出部２２３ａから噴出した洗浄液によって洗い流され、気泡排出槽２２３内に溜まった洗浄液、脱墨剤、トナー成分等を含む液体は脱墨排水タンク５１に送られる。
【００９６】
再生パルプ含有液流通槽２２１内の全ての脱墨室２２５に再生パルプ含有液を流通させ、再生パルプ含有液を脱墨し、得られた脱墨後の再生パルプを含む再生パルプ含有液を流出部２２９ｂから流出させ、図１に示すように、抄紙部３へ送られる。
【００９７】
抄紙部３では、図５に示すように、ヘッドボックス３１から走行するメッシュベルト３２３上に、再生パルプを含む再生パルプ含有液をガイド部材３１ｂに案内させつつ均一に供給し、水切りして水分を比較的多く含んだ繊維の層である湿紙６４を形成する。メッシュベルト３２３の下方に流下した水は受水部３２５に受水され、該受水部３２５から白水タンク５２に送られる。
【００９８】
メッシュベルト３２３上の湿紙６４が往路軌道の終端部に至ると、脱水部３３の上側の吸水ベルト３３２ａに転移される。その後下側の吸水ベルト３３２ｂとの間に挟まれ、湿紙６４に含まれる水分を吸水ベルト３３２ａ，３３２ｂ側に吸収させることで脱水し、更に、圧搾ローラ３３４で圧搾して脱水する。
【００９９】
脱水部３３で脱水された湿紙６４は、ドライヤー部３４に送られ、走行する上下一対の搬送ベルト３４２の間に挟持される。そして、ヒータ３４５により加熱され所定温度に維持された複数の乾燥ローラ３４３に湿紙６４を当接させつつ搬送することで湿紙６４の乾燥を行い仕上げ前の再生紙６５を得る。
【０１００】
ドライヤー部３４を出た仕上げ前の再生紙６５はカレンダー部４１に送られ、複数のプレスローラ４１１の間に通される。これにより、仕上げ前の再生紙６５の平坦度を向上させ、更に、カット部４２で所定のシートサイズに裁断して再生紙７が完成する。
【０１０１】
カット部４２において裁断された結果不要となった仕上げ前の再生紙６５の破材は、図１に示すように再生パルプ部１に戻され、再度古紙原料６として利用される。
【０１０２】
各工程において排液処理部５へ送られた排水のうち汚染の程度が高く再利用が困難な脱墨排水タンク５１内の排水は、必要により所定の廃液処理を施した後古紙処理装置１００の外部に排出する。汚染の程度が低く再利用が可能な白水タンク５２内の白水は、必要によりフィルターを通してインク成分、トナー成分等を除去し、薬剤を添加し中和するなどの処理を施した後、パルパー１８、脱墨前希釈部２１等へ供給し再度利用する。
【０１０３】
尚、上記実施形態では、希釈処理部８６を１個のみとしたが、２個以上設けてもよい。また、第２濃度を、脱墨又は抄紙に適する濃度と同一としたが、脱墨又は抄紙に適する濃度より高い濃度としてもよい。即ち、希釈処理部８６を２個以上設ける場合には、最も上流側の希釈処理部での希釈を第２濃度までとし、この第２濃度を脱墨又は抄紙に適する濃度より高い濃度し、最も下流側の希釈処理部で脱墨又は抄紙に適する濃度に調整する。
【符号の説明】
【０１０４】
１  再生パルプ部
３  抄紙部
６  古紙原料
７  再生紙
７７  ポンプ
８０  攪拌手段
８５  貯留タンク
８６  希釈処理部
８８  除去部
１００  古紙再生処理装置
１８１  攪拌槽
１８２  給水部
【図１】
0005407071.tif 000002
【図２】
0005407071.tif 000003
【図３】
0005407071.tif 000004
【図４】
0005407071.tif 000005
【図５】
0005407071.tif 000006
【図６】
0005407071.tif 000007